(57)【要約】【課題】ワイヤハーネスの電線における心線の色と圧着端子の色とが同系色である場合、また、心線圧着部から先端側への心線のはみ出しを避けたい場合であっても、容易に電線と圧着端子との位置関係を適正な位置関係に合わせられること。【解決手段】圧着端子２０におけるインシュレーションバレル６１とワイヤバレル４１とを繋ぐ根元側連結部５１の側壁部５３ａ，５３ｂに、インシュレーションバレル６１からワイヤバレル４１へ向かう直線方向（Ｘ軸方向）における位置（一定の範囲）を特定する目印５４が形成されている。ワイヤハーネス１の電線１０の端部における被覆端部１５と裸心線部１６との境界（被覆端部１５の末端１５ｅ）は、目印５４で特定される位置に配置されている。【選択図】図４
2012014999.tif 000002
【特許請求の範囲】
【請求項１】
電線と、電線の端部に取り付けられ、前記電線の端部における被覆に圧着された被覆圧着部及び前記電線の端部における前記被覆から伸び出た心線に圧着された心線圧着部を有する圧着端子と、を備えるワイヤハーネスであって、
前記圧着端子における前記被覆圧着部と前記心線圧着部とを繋ぐ根元側連結部に、前記被覆圧着部から前記心線圧着部へ向かう直線方向における位置を特定する目印が形成され、
前記電線の端部における前記被覆と前記被覆から伸び出た心線との境界が、前記目印で特定される位置に配置されていることを特徴とするワイヤハーネス。
【請求項２】
前記目印は、少なくとも前記直線方向における第１の位置から第２の位置までの範囲を特定する目印であり、
前記電線の端部における前記被覆と前記被覆から伸び出た心線との境界が、前記目印で特定される範囲内に配置されている、請求項１に記載のワイヤハーネス。
【請求項３】
前記圧着端子における前記根元側連結部は、底板部及び該底板部の両側に立設されて対向する一対の側壁部からなり、
前記目印は、一対の前記側壁部の少なくとも一方に形成されている、請求項１又は請求項２に記載のワイヤハーネス。
【請求項４】
前記被覆から伸び出た心線は、その先端が、前記心線圧着部から前記被覆圧着部の側に対する反対側へはみ出さない状態で、前記心線圧着部により保持されている、請求項１から請求項３のいずれかに記載のワイヤハーネス。
【請求項５】
前記電線における心線がアルミニウムを主成分とする金属の線である、請求項１から請求項４のいずれかに記載のワイヤハーネス。
【請求項６】
かしめられることにより電線の端部における被覆に圧着される被覆圧着部と、
かしめられることにより前記電線の端部における前記被覆から伸び出た心線に圧着される心線圧着部と、を有する圧着端子であって、
前記被覆圧着部と前記心線圧着部とを繋ぐ根元側連結部に、前記被覆圧着部から前記心線圧着部へ向かう直線方向における位置を特定する目印が形成されていることを特徴とする圧着端子。
【請求項７】
前記目印は、少なくとも前記直線方向における第１の位置から第２の位置までの範囲を特定する目印である、請求項６に記載の圧着端子。
【請求項８】
前記根元側連結部は、底板部及び該底板部の両側に立設されて対向する一対の側壁部からなり、
前記目印は、前記根元側連結部における前記側壁部に形成されている、請求項６又は請求項７に記載の圧着端子。
【発明の詳細な説明】
【技術分野】
【０００１】
本発明は、電線の端部に取り付けられる圧着端子、及び電線と圧着端子とを含むワイヤハーネスに関するものである。
【背景技術】
【０００２】
一般に、ワイヤハーネスにおける電線の端部には、圧着端子が取り付けられる。また、圧着端子としては、被覆押さえ付きの圧着端子と、被覆押さえ無しの圧着端子とが存在する。被覆押さえ付きの圧着端子は、電線の端部における被覆に圧着される被覆圧着部（被覆押さえ部）と、電線の端部における被覆から伸び出た心線に圧着される心線圧着部と、相手側の端子と嵌り合うことによって相手側の端子に接続される端子接続部とを有している。そして、被覆圧着部及び心線圧着部の各々がかしめられることにより、被覆圧着部が電線の被覆を把持し、心線圧着部が電線の心線を把持する。その結果、圧着端子が電線の端部に固定される。
【０００３】
圧着端子において、被覆圧着部は、圧着端子を電線に強固に保持する役割を担い、心線圧着部は、主として圧着端子と電線の心線とを電気的に接続する役割を担う。なお、被覆圧着部、心線圧着部及び端子接続部は、それぞれインシュレーションバレル、ワイヤバレル及びコンタクトと称される。
【０００４】
電線に圧着端子が取り付けられる際、電線と圧着端子との位置合わせが重要である。即ち、電線の先端の位置が、圧着端子の根元側（被覆圧着部側）に寄りすぎている場合、被覆圧着部と電線の被覆との接触面積と、心線圧着部と電線との接触面積とが不十分となる。この場合、電線からの圧着端子の脱落、及び電気的な接続不良が生じやすくなる。また、電線の先端の位置が、圧着端子の先端側（端子接続部側）に寄りすぎている場合、心線圧着部よりも先端側へ過剰に長い心線がはみ出たり、電線の被覆が心線圧着部によってかしめられたりする。この場合、過剰に長い心線が周囲の部材に接触することによる漏電、及び電気的な接続不良が生じやすくなる。
【０００５】
電線と圧着端子との位置合わせを容易にするための従来の技術は、例えば、特許文献１に示されている。特許文献１には、圧着端子における端子接続部（コンタクト）と心線圧着部（ワイヤバレル）とを繋ぐ先端側連結部に、電線の心線の先端位置の許容範囲を示す目印が設けられた圧着端子が示されている。
【先行技術文献】
【特許文献】
【０００６】
【特許文献１】特開２００９−２１８１８９号公報
【発明の概要】
【発明が解決しようとする課題】
【０００７】
ところで、従来の一般的な電線における心線は銅線であり、また、一般的な圧着端子は、銀メッキが施されることなどにより、白色系の色（銀色など）を有している。白色系の圧着端子が銅線を心線とする電線に取り付けられる場合、圧着端子の色と心線（銅線）の色とが全く異なるため、目視及び画像処理による圧着端子と心線との位置関係の把握は容易である。そのため、特許文献１に示される技術により、電線と圧着端子との位置合わせが容易となる。
【０００８】
一方、自動車の軽量化の要求が益々厳しくなり、車載用のワイヤハーネスにおいて、アルミニウムを主成分とする金属の線（アルミニウム線）を心線とする電線の採用が要求されている。電線における心線がアルミニウム線である場合、心線（アルミニウム線）の色は、圧着端子の色と同系色であるため、目視及び画像処理による圧着端子と心線との位置関係の把握は難しい。そのため、電線の心線がアルミニウム線である場合、特許文献１に示される技術では、電線の心線の先端の位置を圧着端子の目印の位置に合わせることが難しいという問題点があった。
【０００９】
また、電線の心線がアルミニウム線である場合、圧着端子と接触するアルミニウム線は、異種金属接触腐食によって腐食しやすい。そのため、心線圧着部により圧着された心線の部分を防食剤で覆うことが考えられる。その場合、防食剤からの心線のはみ出しを防止するため、心線圧着部から先端側への心線のはみ出しがないことが望ましい。
【００１０】
しかしながら、特許文献１に示される技術は、心線の先端が、心線圧着部から先端側へはみ出すことが前提となっている。そのため、特許文献１に示される技術は、心線圧着部から先端側への心線のはみ出しを避けたい場合には適用できないという問題点を有している。
【００１１】
本発明の目的は、ワイヤハーネスの電線における心線の色と圧着端子の色とが同系色である場合、また、心線圧着部から先端側への心線のはみ出しを避けたい場合であっても、容易に電線と圧着端子との位置関係を適正な位置関係に合わせられることである。
【課題を解決するための手段】
【００１２】
本発明に係るワイヤハーネスは、以下に示す各構成を備える。
（１）当該ワイヤハーネスは、電線と、電線の端部に取り付けられ、電線の端部における被覆に圧着された被覆圧着部及び電線の端部における被覆から伸び出た心線に圧着された心線圧着部を有する圧着端子と、を備える。
（２）圧着端子における被覆圧着部と心線圧着部とを繋ぐ根元側連結部に、被覆圧着部から心線圧着部へ向かう直線方向における位置を特定する目印が形成されている。
（３）電線の端部における被覆と被覆から伸び出た心線との境界が、目印で特定される位置に配置されている。
【００１３】
また、本発明に係るワイヤハーネスにおいて、目印は、少なくとも前記直線方向における第１の位置から第２の位置までの範囲を特定する目印であれば好適である。この場合、電線の端部における被覆と被覆から伸び出た心線との境界が、目印で特定される範囲内に配置されている。
【００１４】
また、本発明に係るワイヤハーネスにおいて、圧着端子における根元側連結部は、底板部及びその底板部の両側に立設されて対向する一対の側壁部からなり、目印は、一対の側壁部の少なくとも一方に形成されていることが考えられる。
【００１５】
また、本発明に係るワイヤハーネスにおいて、被覆から伸び出た心線は、その先端が、心線圧着部から被覆圧着部の側に対する反対側（先端側）へはみ出さない状態で、心線圧着部により保持されていることが考えられる。
【００１６】
また、本発明を、本発明に係るワイヤハーネスに採用される圧着端子の発明として捉えることもできる。本発明に係る圧着端子は、以下に示す各構成を備える。
（１）かしめられることにより電線の端部における被覆に圧着される被覆圧着部が設けられている。
（２）かしめられることにより前記電線の端部における前記被覆から伸び出た心線に圧着される心線圧着部が設けられている。
（３）被覆圧着部と心線圧着部とを繋ぐ根元側連結部に、被覆圧着部から心線圧着部へ向かう直線方向における位置を特定する目印が形成されている。
【発明の効果】
【００１７】
本発明において、圧着端子における被覆圧着部と心線圧着部とを繋ぐ根元側連結部に設けられた目印は、電線の端部における被覆と心線との境界の位置、即ち、被覆の末端の位置を合わせる目標となる目印である。電線の被覆は、着色が容易であり、通常、圧着端子の色とは異なる色を有している。そのため、圧着端子の目印と、電線の被覆の末端（被覆と心線との境界）との位置関係を、目視又は画像処理によって把握することは容易である。従って、本発明によれば、ワイヤハーネスの電線における心線がアルミニウム線である場合のように、心線の色と圧着端子の色とが同系色であっても、電線と圧着端子との位置関係を適正な位置関係に容易に合わせることができる。
【００１８】
また、本発明において、第１の位置から第２の位置までの範囲を示す目印は、被覆と心線との境界の位置の許容範囲を示す目印である。そのような目印が圧着端子に設けられることにより、電線と圧着端子との位置合わせがさらに容易となる。
【００１９】
また、目印が、根元側連結部における側壁部に形成されていれば、圧着端子の側方から、電線の被覆の末端と目印とを同時に視認できるため、電線と圧着端子との位置合わせがさらに容易となる。
【００２０】
また、本発明によれば、目印との位置合わせの基準が、心線の先端ではなく、被覆と心線との境界（被覆の先端）である。そのため、心線がアルミニウム線である場合のように、心線圧着部から先端側への心線のはみ出しのないワイヤハーネスを作製する場合であっても、電線と圧着端子との位置関係を適正な位置関係に容易に合わせることができる。
【図面の簡単な説明】
【００２１】
【図１】本発明の第１実施形態に係る圧着端子２０の斜視図である。
【図２】圧着端子２０の側面図である。
【図３】圧着端子２０の平面図である。
【図４】本発明の実施形態に係るワイヤハーネス１の主要部の側面図である。
【図５】ワイヤハーネス１の主要部の平面図である。
【図６】本発明の第２実施形態に係る圧着端子２０Ａの側面図である。
【図７】本発明の第３実施形態に係る圧着端子２０Ｂの側面図である。
【図８】本発明の第４実施形態に係る圧着端子２０Ｃの側面図である。
【発明を実施するための形態】
【００２２】
以下、添付の図面を参照しながら、本発明の実施形態について説明する。以下の実施形態は、本発明を具体化した一例であって、本発明の技術的範囲を限定するものではない。
【００２３】
＜第１実施形態＞
まず、図１〜図５を参照しつつ、本発明の第１実施形態に係る圧着端子２０及び本発明の第１実施形態に係るワイヤハーネス１の構成について説明する。図１〜図３に示される圧着端子２０は、電線１０の端部に取り付けられる被覆押さえ付きの圧着端子である。また、図４及び図５に示されるワイヤハーネス１は、図１〜図３に示される圧着端子２０と、その圧着端子２０が取り付けられた電線１０とを含むワイヤハーネスである。なお、図４及び図５における破線は、隠れ線である。
【００２４】
圧着端子２０が取り付けられる対象となる電線１０、即ち、ワイヤハーネス１が備える電線１０は、線状の導体である複数の素線１１が束ねられた心線１２と、その心線１２の周囲を覆う絶縁体である被覆１３とを有する。圧着端子２０が取り付けられる電線１０の端部は、予め一定の長さの分の心線１２の周囲から被覆１３が剥がれた状態、即ち、一定の長さ分の心線１２が被覆１３から伸び出た状態に加工されている。
【００２５】
以下、電線１０において、心線１２における被覆１３の端から伸び出た部分を裸心線部１６と称する。電線１０は、機械加工によって端部の被覆１３が剥がされるため、電線１０の端部には、一定の長さ（数ミリメートル程度）の裸心線部１６が予め形成される。また、以下の説明において、電線１０における被覆１３の端部の一定の範囲（数ミリメートルから十数ミリメートル程度の長さの範囲）の部分を被覆端部１５と称する。
【００２６】
ワイヤハーネス１において、電線１０の心線１２（素線１１）と、圧着端子２０とは、それぞれ異種の金属で構成されている。具体的には、心線１２は、アルミニウム線、即ち、アルミニウムを主成分とする金属（アルミニウムまたはアルミニウム合金）の線材である。一方、圧着端子２０は、銅もしくは黄銅などの銅合金の部材、又はそれらの部材に錫（Ｓｎ）メッキもしくは錫に銀（Ａｇ）、銅（Ｃｕ）、ビスマス（Ｂｉ）などが添加された錫合金のメッキが施された部材である。従って、圧着端子２０及び心線１２は、例えば銀色など、いずれも白色系の色を有している。
【００２７】
図１から図５に示されるように、圧着端子２０は、相手側端子８０と直接接触するコンタクト部２１とそのコンタクト部２１と繋がる電線保持部９１とを有している。また、電線保持部９１は、先端側連結部３１、ワイヤバレル４１、根元側連結部５１及びインシュレーションバレル６１の４つの部分から構成されている。コンタクト部２１、先端側連結部３１、ワイヤバレル４１、根元側連結部５１及びインシュレーションバレル６１は、直線方向に沿って一列に並んで形成されている。
【００２８】
以下、インシュレーションバレル６１からワイヤバレル４１及びコンタクト部２１へ向かう直線方向を基軸方向と称する。基軸方向は、各図に示される座標軸のＸ軸方向である。また、基軸方向におけるインシュレーションバレル６１の側を根元側、その反対側（コンタクト部２１の側）を先端側と称する。
【００２９】
インシュレーションバレル６１は、かしめられることにより、電線１０の被覆端部１５に圧着される部分（被覆圧着部）である。インシュレーションバレル６１は、底板部６２と、その底板部６２の両側に立設されて対向する一対の側壁部６３ａ，６３ｂとを有している。図１〜図３に示される例では、底板部６２及び側壁部６３ａ，６３ｂは、いずれも平板状であるが、これらは、湾曲した周面を形成する被覆端部１５の外形に沿うように、湾曲した板状である場合もある。以下、基軸方向（Ｘ軸方向）に直交し、側壁部６３ａ，６３ｂが対向する方向（底板部６２に沿う方向）を幅方向と称する。さらに、基軸方向（Ｘ軸方向）に直交し、側壁部６３ａ，６３ｂに沿う方向を高さ方向と称する。幅方向及び高さ方向は、各図に示される座標軸のＹ軸方向及びＺ軸方向である。
【００３０】
根元側連結部５１は、インシュレーションバレル６１と電線１０の心線１２に圧着されるワイヤバレル４１とを繋ぐ部分である。根元側連結部５１は、底板部５２と、その底板部５２の両側に立設されて対向する一対の側壁部５３ａ，５３ｂとを有している。図１〜図３に示される例では、底板部５２及び側壁部５３ａ，５３ｂは、いずれも平板状であるが、これらは、湾曲した周面を形成する被覆端部１５及び裸心線部１６の外形に沿うように、湾曲した板状である場合もある。
【００３１】
ワイヤバレル４１は、かしめられることにより、被覆端部１５から伸び出た裸心線部１６に圧着される部分（心線圧着部）である。ワイヤバレル４１は、底板部４２と、その底板部４２の両側に立設されて対向する一対の側壁部４３ａ，４３ｂとを有している。図１〜図３に示される例では、底板部４２及び側壁部４３ａ，４３ｂは、いずれも平板状であるが、これらは、湾曲した周面を形成する裸心線部１６の外形に沿うように、湾曲した板状である場合もある。
【００３２】
先端側連結部３１は、ワイヤバレル４１とコンタクト部２１とを繋ぐ部分である。先端側連結部３１は、底板部３２と、その底板部３２の両側に立設されて対向する一対の側壁部３３ａ，３３ｂとを有している。図１〜図３に示される例では、底板部３２及び側壁部３３ａ，３３ｂは、いずれも平板状であるが、これらは、湾曲した板状である場合もある。
【００３３】
電線保持部９１における各底板部６２，５２，４２，３２は、連なって全体として板状に形成されている。また、電線保持部９１における幅方向の一方の側の各側壁部６３ａ，５３ａ，４３ａ，３３ａは、連なって全体として板状に形成されている。同様に、電線保持部９１における幅方向の他方の側の各側壁部６３ｂ，５３ｂ，４３ｂ，３３ｂは、連なって全体として板状に形成されている。
【００３４】
また、コンタクト部２１は、圧着端子２０の接続相手となる相手側端子８０（図４参照）と嵌り合うことによって相手側端子８０と直接接触し、相手側端子８０に接続される部分（端子接続部）である。コンタクト部２１は、相手側端子８０が嵌め入れられる孔である端子挿入孔２２が形成された筒状の部分である。図１に示される例では、コンタクト部２１には、相手側端子との接続の際に相手側の端子を支持する部材に当接する位置決め用の突起部２４が形成されている。また、コンタクト部２１における端子挿入孔２２の内側には、相手側端子８０と接触して弾性変形する接触片２３が設けられている。
【００３５】
図４及び図５に示されるように、電線１０及び圧着端子２０は、被覆端部１５がインシュレーションバレル６１における一対の側壁部６３ａ，６３ｂの間に位置し、裸心線部１６がワイヤバレル４１における一対の側壁部４３ａ，４３ｂの間に位置するように配置される。その配置の状態で、インシュレーションバレル６１の側壁部６３ａ，６３ｂは、底板部６２側（内側）へ折り曲げられる（かしめられる）。さらに、ワイヤバレル４１の側壁部４３ａ，４３ｂは、底板部４２側（内側）へ折り曲げられる（かしめられる）。これにより、インシュレーションバレル６１において、底板部６２と２つの側壁部６３ａ，６３ｂとが被覆端部１５に圧着された状態でこれを把持し、ワイヤバレル４１において、底板部４２と２つの側壁部４３ａ，４３ｂとが裸心線部１６に圧着された状態でこれを把持する。
【００３６】
電線１０に対してかしめられる（折り曲げられる）部分であるインシュレーションバレル６１及びワイヤバレル４１各々の側壁部６３ａ，６３ｂ，４３ａ，４３ｂは、根元側連結部５１及び先端側連結部３１各々の側壁部５３ａ，５３ｂ，３３ａ，３３ｂよりも高さ方向（Ｚ軸方向）において長く形成されている。
【００３７】
また、圧着端子２０の根元側連結部５１には、基軸方向（Ｘ軸方向）における位置を特定する目印５４が形成されている。この目印５４は、例えば、根元側連結部５１の側壁部６３ａ，６３ｂの外側の面に高さ方向（Ｚ軸方向）に線状に伸びて形成された細い溝である。また、図示されていないが、目印５４は、根元側連結部５１の側壁部６３ａ，６３ｂにおいて高さ方向に伸びて形成されたスリットであってもよい。このスリットは、例えば、側壁部６３ａ，６３ｂにおいて貫通孔として、又は切り欠き部として形成されることが考えられる。なお、目印５４が、根元側連結部５１の２つの側壁部６３ａ，６３ｂのうちの一方にのみ設けられることも考えられる。
【００３８】
根元側連結部５１の目印５４は、被覆端部１５と裸心線部１６との境界、即ち、被覆端部１５の末端１５ｅの位置を合わせる目標となる目印である。電線１０の被覆１３（被覆端部１５）は、着色が容易であり、圧着端子２０の色とは異なる色を有している。例えば、被覆１３全体の色又は被覆１３の長手方向に付されたラインの色は、黒色、又は青色もしくは赤色などの彩色である。そのため、根元側連結部５１の目印５４と、被覆端部１５の末端１５ｅ（裸心線部１６との境界）との位置関係を、目視又は画像処理によって把握することは容易である。
【００３９】
根元側連結部５１の側壁部５３ａ，５３ｂの高さ方向における長さは、電線１０の直径よりも短い。例えば、根元側連結部５１の側壁部５３ａ，５３ｂの高さ方向における長さ（高さ）は、電線１０の直径の約三分の一程度の長さである。そして、目印５４は、根元側連結部５１の側壁部５３ａ，５３ｂに形成されているため、圧着端子２０の側方から、被覆端部１５の末端１５ｅと目印５４とを同時に視認することができる。従って、電線１０と圧着端子２０との位置合わせは容易である。
【００４０】
また、圧着端子２０においては、根元側連結部５１の目印５４は、基軸方向（Ｘ軸方向）における根元側の第１の位置に形成された第１目印５４１と、それより先端側の第２の位置に形成された第２目印５４２とを含む。これらの目印５４１，５４２は、被覆端部１５の末端１５ｅ（裸心線部１６との境界）の位置の許容範囲（第１の位置から第２の位置までの範囲）を特定する目印である。
【００４１】
圧着端子２０が電線１０に取り付けられる際、被覆端部１５の末端１５ｅが第１目印５４１と第２目印５４２との間の中央の位置（中点）に配置されることを目標として、電線１０と圧着端子２０との位置関係が調整される。そのため、多少の調整誤差が生じた場合でも、図４に示されるように、ワイヤハーネス１における被覆端部１５の末端１５ｅは、２つの目印５４１，５４２によって特定される範囲、即ち、第１の位置から第２の位置までの許容範囲内の位置に配置された状態となる。
【００４２】
ここで、基軸方向（Ｘ軸方向）における目印５４の位置について説明する。心線１２がアルミニウム線である場合、心線１２の金属材料と、圧着端子２０の金属材料との間の標準電極電位の関係は、圧着端子２０の標準電極電位よりも、心線１２の標準電極電位の方が低い関係となる。この関係の下で、圧着端子２０と接触する裸心線部１６に塩水などの電解質水溶液が付着すると、裸心線部１６において、腐食の一種である電食が発生しやすい。そのため、ワイヤバレル４１が圧着された裸心線部１６の部分に、腐食剤が塗布されることが望ましい。腐食剤は、例えば、ポリアミド樹脂又はエポキシ樹脂などが考えられる。
【００４３】
また、腐食剤が裸心線部１６の部分に塗布される場合、腐食剤からの裸心線部１６のはみ出しを防止するため、裸心線部１６がワイヤバレル４１から先端側へ、即ち、先端側連結部３１へはみ出さないことが望ましい。
【００４４】
そこで、目印５４は、その目印５４が特定する位置に被覆端部１５の末端１５ｅ（裸心線部１６との境界）が配置された場合に、裸心線部１６の先端１６ｅが、ワイヤバレル４１の先端側の端の位置又はそれよりわずかに根元側の位置に配置されるように形成される。これにより、図４に示されるように、ワイヤハーネス１における裸心線部１６は、その先端１６ｅが、ワイヤバレル４１から先端側（インシュレーションバレル６１の側に対する反対側）へはみ出さない状態で、ワイヤバレル４１によって保持される。そして、腐食剤が裸心線部１６の部分に塗布される場合、裸心線部１６が腐食剤からはみ出すことを防止できる。
【００４５】
以上に示したように、圧着端子２０が採用されることにより、ワイヤハーネス１の電線１０における心線１２の色と圧着端子２０の色とが同系色である場合、また、ワイヤバレル４１から先端側への裸心線部１６のはみ出しを避けたい場合であっても、容易に電線１０と圧着端子２０との位置関係を適正な位置関係に合わせることが可能となる。
【００４６】
＜第２実施形態＞
次に、図６に示される側面図を参照しつつ、本発明の第２実施形態に係る圧着端子２０Ａについて説明する。圧着端子２０Ａは、図１〜図５に示された圧着端子２０と比較して、目印５４の構成のみが異なる。図６において、図１〜図５に示される構成要素と同じ構成要素は、同じ参照符号が付されている。以下、圧着端子２０Ａにおける圧着端子２０と異なる点についてのみ説明する。
【００４７】
図６に示されるように、圧着端子２０Ａの目印５４は、根元側連結部５１の側壁部５３ａ，５３ｂにおいて、基軸方向（Ｘ軸方向）における根元側の第１の位置に形成された第１目印５４１と、それより先端側の第２の位置に形成された第２目印５４２と、第１目印５４１と第２目印５４２との間の位置に形成された第３目印５４３とを含む。ここで、第１目印５４１及び第２目印５４２は、圧着端子２０の目印５４と同様に、被覆端部１５の末端１５ｅ（裸心線部１６との境界）の位置の許容範囲（第１の位置から第２の位置までの範囲）を特定する目印である。また、第３目印５４３は、被覆端部１５の末端１５ｅの位置として理想的な目標位置（基準位置）を特定する目印である。第３目印５４３は、例えば、第１目印５４１と第２目印５４２との間の中央の位置（中点）に形成されている。
【００４８】
圧着端子２０Ａが採用されることにより、圧着端子２０が電線１０に取り付けられる際に、被覆端部１５の末端１５ｅの目標となる位置（第３目印５４３）が明確であるため、電線１０と圧着端子２０Ａとの位置合わせがより容易となる。このような圧着端子２０Ａも、本発明の実施形態の一例である。
【００４９】
＜第３実施形態＞
次に、図７に示される側面図を参照しつつ、本発明の第３実施形態に係る圧着端子２０Ｂについて説明する。圧着端子２０Ｂは、図１〜図５に示された圧着端子２０と比較して、目印５４の構成のみが異なる。図７において、図１〜図５に示される構成要素と同じ構成要素は、同じ参照符号が付されている。以下、圧着端子２０Ｂにおける圧着端子２０と異なる点についてのみ説明する。
【００５０】
図７に示されるように、圧着端子２０Ｂの目印５４は、根元側連結部５１の側壁部５３ａ，５３ｂにおいて、基軸方向（Ｘ軸方向）における１箇所の位置に形成されている。この目印５４は、被覆端部１５の末端１５ｅの位置として理想的な目標位置（基準位置）を特定する目印である。
【００５１】
圧着端子２０Ｂが採用されることにより、圧着端子２０が電線１０に取り付けられる際に、被覆端部１５の末端１５ｅの目標となる位置（目印５４）が明確であるため、電線１０と圧着端子２０Ａとの位置合わせが容易となる。このような圧着端子２０Ｂも、本発明の実施形態の一例である。
【００５２】
＜第４実施形態＞
図８は、本発明の第４実施形態に係る圧着端子２０Ｃの側面図である。圧着端子２０Ｃは、図１〜図５に示された圧着端子２０と比較して、コンタクト部２１の構成のみが異なる。前述した各実施形態に係る圧着端子２０，２０Ａ，２０Ｂは、コンタクト部２１として、相手側端子が嵌め入れられる端子挿入孔２２が形成されたコンタクト部を有する、いわゆるメス型の圧着端子である。しかしながら、図８に示される圧着端子２０Ｃは、コンタクト部２１として、相手側端子に形成された端子挿入孔に挿入されるコンタクト部を有する、いわゆるオス型の圧着端子である。このような圧着端子２０Ｃも、本発明の実施形態の一例である。また、本発明の実施形態に係る圧着端子は、コンタクト部２１として、いわゆる丸形のコンタクト部又はＹ型のコンタクト部を備えることも考えられる。
【００５３】
＜その他＞
以上に示した各実施形態では、目印５４は、根元側連結部５１の側壁部６３ａ，６３ｂに形成されているが、目印５４が、根元側連結部５１の位置に形成されることも考えられる。例えば、目印５４が、根元側連結部５１の底板部５２において、幅方向（Ｙ軸方向）に伸びて形成されたスリットであることも考えられる。
【００５４】
また、被覆端部１５の末端１５ｅ（裸心線部１６との境界）の位置の許容範囲を特定する目印としては、許容範囲の両端の位置各々に形成された２つの目印５４１，５４２以外の目印も考えられる。例えば、目印５４が、根元側連結部５１の側壁部５３ａ，５３ｂにおいて、基軸方向（Ｘ軸方向）の一定の範囲（許容範囲）に渡って形成された窪み部、スリット又は突出部などであることも考えられる。
【００５５】
また、前述した実施形態では、電線１０の心線１２と圧着端子２０とが、異種の金属で構成された例を示したが、本発明の適用対象は、そのような例には限られない。例えば、本発明は、電線１０の心線１２と圧着端子２０とが、銅などの同種の金属で構成されたワイヤハーネスに適用されても有効である。本発明に係る圧着端子によれば、目印５４が根元側連結部５１の側壁部５３ａ，５３ｂに形成されていることにより、裸心線部１６がワイヤバレル４１から先端側へはみ出すことを回避できる。従って、ワイヤハーネスにおいて、裸心線部１６がワイヤバレル４１から先端側へはみ出すことを避けたい場合に、本発明の適用は有効である。
【符号の説明】
【００５６】
１  ワイヤハーネス
１０  電線
１１  素線
１２  心線
１３  被覆
１５  被覆端部
１６  裸心線部
２０，２０Ａ，２０Ｂ，２０Ｃ  圧着端子
２１  コンタクト部
２２  端子挿入孔
２３  接触片
２４  突起部
３１  先端側連結部
３２  底板部（先端側連結部）
３３ａ，３３ｂ  側壁部（先端側連結部）
４１  ワイヤバレル（心線圧着部）
４２  底板部（ワイヤバレル）
４３ａ，４３ｂ  側壁部（ワイヤバレル）
５１  根元側連結部
５２  底板部（根元側連結部）
５３ａ，５３ｂ  側壁部（根元側連結部）
５４  目印
５４１  第１目印
５４２  第２目印
５４３  第３目印
６１  インシュレーションバレル
６２  底板部（インシュレーションバレル）
６３ａ，６３ｂ  側壁部（インシュレーションバレル）
８０  相手側端子
９１  電線保持部
【図１】
2012014999.tif 000003
【図２】
2012014999.tif 000004
【図３】
2012014999.tif 000005
【図４】
2012014999.tif 000006
【図５】
2012014999.tif 000007
【図６】
2012014999.tif 000008
【図７】
2012014999.tif 000009
【図８】
2012014999.tif 000010